(57)【要約】【課題】グロメット本体のインナー部材に対する保持力を確実に高めることができ、しかも、これら２部品の組付け時の作業性に優れたグロメットを提供する。【解決手段】樹脂製のインナー部材１２および弾性のグロメット本体１４を備えたグロメットであって、グロメット本体１４は、インナー部材１２の外フランジ部２３より係止部２２側に車体パネル１に係合可能なシールリップ部４５と、そのシールリップ部４５を支持するとともに外フランジ部２３における係止部２２側の片面２３ａに隣接する環状板部４６とを含んで構成されており、外フランジ部２３の周方向の少なくとも一部で、グロメット本体１４の環状板部４６と密着接触する係止部２２側の片面２３ａが、外周側ほど軸方向で係止部２２に近くなるように傾斜したテーパ面となっている。【選択図】図３
2015198530.tif 000002
【特許請求の範囲】
【請求項１】
ワイヤハーネスの電線群が挿通される筒状部を有するとともに該筒状部の一端側でパネルの開口縁部に係止される係止部および前記筒状部の他端側から径方向に突出する外フランジ部を有する樹脂製のインナー部材と、
前記筒状部の前記他端側を閉塞するカバー状をなすとともに前記電線群が貫通する貫通孔が形成された弾性のグロメット本体とを備えたグロメットであって、
前記グロメット本体は、前記外フランジ部より前記係止部側で前記パネルに係合可能なシールリップ部と、該シールリップ部を支持するとともに前記外フランジ部における前記係止部側の片面に隣接する環状板部とを含んで構成されており、
前記外フランジ部の周方向の少なくとも一部で、前記グロメット本体の前記環状板部と接触する前記係止部側の片面が、外周側ほど軸方向で前記係止部に近くなるように傾斜したテーパ面を有していることを特徴とするグロメット。
【請求項２】
前記インナー部材の前記外フランジ部が、前記テーパ面上に、前記グロメット本体の前記環状板部に対し凹凸係合する凹凸部分を有していることを特徴とする請求項１に記載のグロメット。
【発明の詳細な説明】
【技術分野】
【０００１】
本発明は、グロメットに関し、特にパネルを貫通するワイヤハーネスの電線群を保護するグロメットに関する。
【背景技術】
【０００２】
従前より、自動車の車室の内外にわたってワイヤハーネスを配索する場合、その車室の内外を仕切る車体パネルにワイヤハーネスを通すための開口を形成し、その開口縁部に筒状のグロメットを装着して、ワイヤハーネスの電線群を保護しつつシール性や遮音性を確保することがなされている。
【０００３】
また、車体パネルの開口が比較的大径である場合、ワイヤハーネスや車体パネルからグロメットに作用する外力に対してグロメットの固定状態を保持する保持力を十分に大きくすることが要求される。そのような場合、弾性を有するグロメット本体に、樹脂製のインナー部材を組み合わせたグロメットが多用されている。
【０００４】
従来のこの種のグロメットは、例えばインナー部材の筒状部の一端側にパネルの開口縁部に係止される係止爪部を有するとともに、筒状部の他端側で放射外方に突出する外フランジ部を有している（例えば、特許文献１参照）。このグロメットでは、インナー部材がグロメット本体に装着されるときに、外フランジ部がグロメット本体の環状溝内に入り込むことで、グロメット本体のインナー部材に対する保持力が高められている。
【０００５】
また、筒状のインナー部材の一端側にパネルの開口縁部に係止される係止爪部を設けるとともに、そのインナー部材の他端側に円環板状の内フランジ部と所定角度間隔で半径方向外側に突出する複数の固定爪を設けたものがある（例えば、特許文献２参照）。このグロメットでは、インナー部材がグロメット本体に装着されるときに、固定爪をグロメット本体の外周孔部に挿入し、固定爪の先端の鉤状爪部で抜け止めするようになっている。
【先行技術文献】
【特許文献】
【０００６】
【特許文献１】特開２０１２−１３００８５号公報
【特許文献２】特開２０１１−６１９３０号公報
【発明の概要】
【発明が解決しようとする課題】
【０００７】
しかしながら、インナー部材の他端側に外フランジ部を向ける従来のグロメットでは、車体パネルおよびグロメットに対するワイヤハーネスの電線群の貫通姿勢が振動等によって変化したり、配索作業中に電線群の貫通姿勢が変化してしまう場合があった。そして、そのような場合には、グロメットのパネルに対する保持力が十分でなかった。
【０００８】
すなわち、樹脂製のインナー部材が車体パネルに強固に係止可能であるのに対して、樹脂製のインナー部材に対する弾性のグロメット本体の保持力が十分でなかった。そのため、例えば配索作業中に車体パネルおよびグロメットに対する電線群の傾斜姿勢を変化させるような力が電線群に加わったとすると、グロメットの周方向の一部でグロメット本体をインナー部材から離脱させる方向に大きな力が生じ易くなる。その場合、グロメット本体のインナー部材に対する保持力が十分とは言えなかった。
【０００９】
また、グロメット本体の外周側に固定爪を抜止め係合させる従来のグロメットでは、インナー部材とグロメット本体を結合させる際に、インナー部材の複数の固定爪をグロメット本体に嵌め込むだけでなく、固定爪の先端の鉤状爪部をグロメット本体の外周孔部の外方に突出させて抜止めする必要があった。そのため、インナー部材をグロメット本体に組み付ける作業性が悪いという問題があった。そればかりか、ワイヤハーネスの電線群に大きな引張力が作用すると、複数の固定部でグロメット本体を保持することになり、外フランジを有する場合よりもインナー部材に対するグロメット本体の保持力が低くなってしまうという問題があった。
【００１０】
本発明は、上述のような課題を解決するためになされたもので、グロメット本体のインナー部材に対する保持力を確実に高めることができ、しかも、これら２部品の組付け時の作業性に優れたグロメットを提供することを目的とする。
【課題を解決するための手段】
【００１１】
本発明に係るプロテクタは、上記目的達成のため、ワイヤハーネスの電線群が挿通される筒状部を有するとともに該筒状部の一端側でパネルの開口縁部に係止される係止部および前記筒状部の他端側から径方向に突出する外フランジ部を有する樹脂製のインナー部材と、前記筒状部の前記他端側を閉塞するカバー状をなすとともに前記電線群が貫通する貫通孔が形成された弾性のグロメット本体とを備えたグロメットであって、前記グロメット本体は、前記外フランジ部より前記係止部側で前記パネルに係合可能なシールリップ部と、該シールリップ部を支持するとともに前記外フランジ部における前記係止部側の片面に隣接する環状板部とを含んで構成されており、前記外フランジ部の周方向の少なくとも一部で、前記グロメット本体の前記環状板部と接触する前記係止部側の片面が、外周側ほど軸方向で前記係止部に近くなるように傾斜したテーパ面を有している。
【００１２】
この構成により、パネルの開口縁部とインナー部材の外フランジ部との間において、グロメット本体の環状板部のうち周方向の少なくとも一部が、インナー部材の外フランジ部の片面側でシールリップの接触圧程度の圧力で外フランジ部に接触しながらインナー部材の外フランジ部に対して軸方向に入り込んだ凹凸係合状態となる。また、外フランジ部がテーパ面の外周側の端部でグロメット本体に対し軸方向に食い込んだ状態となる。したがって、インナー部材とグロメット本体を引き離すような大きな力が生じたとしても、インナー部材のフランジ部の片面側に位置するグロメット本体の環状板部がインナー部材に対する径方向移動を抑制される。その結果、インナー部材とグロメット本体の結合状態が確実に維持され、グロメット本体のインナー部材に対する保持力を確実に高めることができる。
【００１３】
本発明のグロメットにおいては、前記インナー部材の前記外フランジ部が、前記テーパ面上に、前記グロメット本体の前記環状板部に対し凹凸係合する凹凸部分を有していてもよい。
【００１４】
この構成により、インナー部材の外フランジ部とグロメット本体の環状板部がテーパ面部分で凹凸係合するだけでなく、テーパ面上の凹凸部分でもさらに深く凹凸係合することになる。したがって、インナー部材とグロメット本体の結合が強化され、グロメット本体のインナー部材に対する保持力をより確実に高めることができる。
【発明の効果】
【００１５】
本発明によれば、グロメット本体とインナー部材の間の離脱力を十分に高めることができ、しかも、これら２部品の組付け作業性に優れたグロメットを提供することができる。
【図面の簡単な説明】
【００１６】
【図１】本発明の一実施の形態に係るグロメットにおけるインナー部材を示す図であり、（ａ）はそのインナー部材の挿入端側から見た下面図、（ｂ）はそのインナー部材の挿入端側から見た外観斜視図である。
【図２】本発明の一実施の形態に係るグロメットにおけるグロメット本体を示す図であり、（ａ）はそのグロメット本体のシールリップ部側から見た斜視図、（ｂ）はグロメット本体のシールリップ部側から図２（ａ）とは異なる角度で見た斜視断面図である。
【図３】本発明の一実施の形態に係るグロメットにおけるインナー部材とグロメット本体を組み合わせた状態を示すそのグロメットの斜視断面図である。
【図４】本発明の一実施の形態に係るグロメットにワイヤハーネスの電線群を通した状態を示すそのグロメットの側面図である。
【図５】本発明の一実施の形態に係るグロメットにおけるインナー部材およびグロメット本体の結合部分を示すそのグロメットの要部拡大断面図である。
【図６】本発明の他の実施の形態に係るグロメットにおけるインナー部材およびグロメット本体の結合部分を示すそのグロメットの要部拡大断面図である。
【発明を実施するための形態】
【００１７】
以下、本発明を実施するための実施の形態について図面を参照して説明する。
【００１８】
（一実施の形態）
図１から図５に示す一実施の形態のグロメットは、自動車の車室の内外を仕切る車体パネルに形成された開口の内周縁部（開口縁部）に係止される状態で車体パネルに固定され、パネルを貫通するワイヤハーネスの電線群を保護しつつ貫通部分でのシール性や遮音性を確保するものである。
【００１９】
まず、本実施の形態の構成を説明する。
【００２０】
図１ないし図４に示すように、本実施の形態のグロメット１０は、樹脂製のインナー部材１２と、ゴム弾性を有するグロメット本体１４とを備えている。
【００２１】
図１（ａ）および図１（ｂ）に示すように、インナー部材１２は、筒状部２１と、その筒状部２１の軸方向の一端側に設けられた係止部２２と、筒状部２１の軸方向の他端側に設けられた外フランジ部２３とを有している。
【００２２】
筒状部２１は、ワイヤハーネスの電線群Ｗ（図４参照）が挿通される比較的軸長の小さい略円筒状をなしている。この筒状部２１は、例えば各図中に示すように電線群Ｗがグロメット本体１４をその中心軸線方向に貫通する場合と、その図４中の貫通姿勢から所定角度だけ傾斜した傾斜姿勢をとる場合とのいずれにも対応できるようになっている。
【００２３】
係止部２２は、筒状部２１の軸方向の一端側に周方向等間隔（等角度間隔）に設けられた複数、例えば４つの矢先形の鉤状の係止爪２２ａを有しており、これら複数の係止爪２２ａは、それぞれの矢先側の一端部で図１（ａ）および図４中の筒状部２１の上端部に一体に支持されている。
【００２４】
複数の係止爪２２ａは、車体パネル１の開口２に挿入されるときには矢先側の一端部２２ｂを支点に全体として縮径するように撓み、開口２を通過して図４に示すように車体パネル１の背面１ａ側に達すると、矢先側の一端部２２ｂを支点に全体として拡径するように弾性回復する弾性を有している。
【００２５】
また、複数の係止爪２２ａは、開口２を形成する車体パネル１の開口縁部３に対して車体パネル１の背面１ａ側および開口２の内周面側で係合する段付き形状の他端部２２ｃを有している。これにより、係止部２２は、インナー部材１２の筒状部２１を車体パネル１に対して抜止め可能に係止することができる。
【００２６】
外フランジ部２３は、筒状部２１の図１（ｂ）中における下端側から径方向外側に突出する円環板状体であり、筒状部２１に対し直交するように筒状部２１と一体に形成されている。
【００２７】
図３および図５に示すように、この外フランジ部２３は、外フランジ部２３の周方向の少なくとも一部、例えば全周で、係止部２２側の片面２３ａが、外周側ほど軸方向で係止部２２に近くなるように傾斜したテーパ面となっている（略全域にテーパ面を有する）。
【００２８】
ここにいう周方向の少なくとも一部とは、周方向の各部位のうち、配索作業中または使用状態下でグロメット本体１４をインナー部材１２から離脱させる方向の力が最も大きく作用する部位の近傍である。例えば、車体パネル１の板面に対して電線群Ｗが直交姿勢から傾斜し、グロメット本体１４の貫通孔４１が電線群Ｗの傾斜姿勢に応じて傾斜するような場合、周方向の少なくとも一部が電線群Ｗおよび貫通孔４１の直交姿勢からの傾斜方向側に設けられる。
【００２９】
インナー部材１２の筒状部材２１の軸線に対し直交する面からの外フランジ部２３の片面２３ａの傾斜角度は、特に限定されないが、全周をテーパ面とする本実施の形態では、例えば数度以上であって４５度未満程度である。また、本実施の形態では、外フランジ部２３は、係止部２２側の片面２３ａとは反対側の面２３ｂも、外周側ほど軸方向で係止部２２に近くなるように傾斜したテーパ面となっている。
【００３０】
図２（ａ）および図２（ｂ）に示すように、グロメット本体１４は、ゴム弾性（ゴムのような弾性、粘弾性の意）を有する弾性素材から成形され、インナー部材１２の筒状部２１の他端側を閉塞する円形のカバー状をなしている。また、グロメット本体１４の中心部には、ワイヤハーネスＷが貫通する貫通孔４１が形成されている。
【００３１】
具体的には、グロメット本体１４は、貫通孔４１を有する円筒部４２と、円筒部４２に同心的に一体結合された円形カバー部４３と、インナー部材１２の外フランジ部２３を取り囲む外周カバー部４４とを有している。
【００３２】
グロメット本体１４は、さらに、インナー部材１２の外フランジ部２３より係止部２２側で車体パネル１に係合可能なスカート状のシールリップ部４５と、シールリップ部４５の基端側を支持する環状板部４６とを含んで構成されている。
【００３３】
環状板部４６は、図３および図５に示すように、外フランジ部２３の係止部２２側の片面２３ａに隣接し、密着状態で接触している。したがって、外フランジ部２３の片面２３ａのうちテーパ面となる周方向の一部または全部の領域において、環状板部４６は、外フランジ部２３の片面２３ａ側で外フランジ部２３に対し係合深さｄｐ分だけ軸方向に入り込んで凹凸係合する内凸部分４７を形成する。また、外フランジ部２３は、テーパ面となる片面２３ａの外周側端部で、グロメット本体１４に対し軸方向に食い込むように係合している。
【００３４】
なお、本実施の形態では、インナー部材１２の係止部２２が車体パネル１の開口縁部３に係止されるよう半径方向外側に突出する複数の鉤状の係止爪２２ａを有するので、インナー部材１２の外フランジ部２３には複数の係止爪２２ａに対応する複数の成形用の逃げ孔２６が等角度間隔に形成されている。そして、これら複数の逃げ孔２６の開口形状は、周方向および半径方向の双方において、複数の係止爪２２ａの略扇形の平面輪郭形状よりわずかに大きい略扇形になっている。
【００３５】
次に、作用を説明する。
【００３６】
上述のように構成された本実施の形態では、車体パネル１の開口縁部３とインナー部材１２の外フランジ部２３との間において、グロメット本体１４の環状板部４６のうち周方向の少なくとも一部が、外フランジ部２３の片面２３ａ側でシールリップ部４５の接触圧程度の圧力で外フランジ部２３に接触する。
【００３７】
また、外フランジ部２３の片面２３ａがテーパ面となる周方向の一部または全部の角度領域内で、グロメット本体１４の環状板部４６が、その内凸部分４７においてインナー部材１２の外フランジ部２３に対して係合深さｄｐ分だけ軸方向に入り込んだ凹凸係合状態となる。
【００３８】
さらに、外フランジ部２３の片面２３ａがテーパ面となる周方向の一部または全部の角度領域内で、外フランジ部２３の外周側の端部がグロメット本体１４に対して軸方向に食い込んだ状態となる。
【００３９】
したがって、インナー部材１２とグロメット本体１４の間に周方向の一部または全部の領域で両者を引き離すような大きな力が生じたとしても、外フランジ部２３の片面２３ａ側に位置する環状板部４６が外フランジ部２３に対する径方向移動を凹凸係合部位で有効に抑制される。その結果、インナー部材１２とグロメット本体１４の結合状態が確実に維持され、グロメット本体１４のインナー部材１２に対する保持力が十分に確保可能となる。
【００４０】
よって、例えば、グロメット本体１４のインナー部材１２に対する保持力が、両者を引き剥がす離脱試験における離脱直前の最大保持力（離脱力）として規定される場合に、要求される最大保持力を確実に満足できるものとなる。
【００４１】
加えて、本実施の形態では、グロメット本体１４の環状板部４６が係止爪成型用の逃げ孔２６内に食い込む方向に力が作用するので、その点からも、グロメット本体１４のインナー部材１２に対する保持力をより確実に高めることができる。
【００４２】
しかも、インナー部材１２は、型開閉方向のみの２方向の成形金型で成形できるので、製造コストも抑えられる。
【００４３】
このように、本実施の形態においては、グロメット本体１４のインナー部材１２に対する保持力を確実に高めることができ、しかも、これら２部品の組付け時の作業性に優れた低コストのグロメット１０を提供することができる。
【００４４】
（他の実施の形態）
図６に示す他の実施の形態に係るグロメットは、上述の一実施の形態と同様に車体パネルの開口縁部に係止されてパネル固定状態となるものであり、インナー部材とグロメット本体の結合部分以外は上述の一実施の形態と同様のものである。したがって、上述の一実施の形態と同一または類似の構成については図１ないし図５中の対応する構成要素の符号を用いつつ、以下、本実施の形態と一実施の形態との相違点について説明する。
【００４５】
図６に示すように、本実施の形態のグロメット１０は、樹脂製のインナー部材５２と、ゴム弾性を有するグロメット本体５４とを備えている。
【００４６】
インナー部材５２は、上述の一実施の形態におけるインナー部材１２と同一径と略同様な全体形状を有するものの、インナー部材５２の外フランジ部２３が、テーパ面となる片面２３ａ上に、グロメット本体５４の環状板部４６に対し凹凸係合する凸部２３ｐを有している。本実施の形態では、凸部２３ｐは、外フランジ部２３の全周に及ぶ円環状のものとするが、勿論周方向の一部に設置されてもよいし、周方向または半径方向に隣り合う複数の凸部２３ｐを設けてもよい。また、凹凸係合できればよいので、凸部２３ｐを凹部としてもよい。
【００４７】
グロメット本体５４は、上述の一実施の形態におけるグロメット本体１４と同一径と略同様な全体形状を有するものの、グロメット本体５４の環状板部４６が、外フランジ部２３の凸部２３ｐに対応する凹部４６ｖを有している。したがって、本実施の形態では、凹部４６ｖは、外フランジ部２３の全周に及ぶ円環状の溝となるが、勿論周方向の一部に設置されてもよいし、周方向または半径方向に隣り合う複数の凹部４６ｖを設けてもよい。また、凹凸係合できればよいので、凹部４６ｖを凸部とし、外フランジ部２３に凸部２３ｐに代わる凹部を形成してもよい。
【００４８】
図６に示すように、環状板部４６は、凹部４６ｖの両側で外フランジ部２３の片面２３ａに隣接し密着接触する第１環状板面部分４６ａおよび第２環状板面部分４６ｂと、インナー部材１２の筒状部２１に近接する内周面部分４６ｃとを有している。第１環状板面部分４６ａは、外フランジ部２３の片面２３ａのうち半径方向内方側の部分に密着している。また、第２環状板面部分４６ｂは、第１環状板面部分４６ａより半径方向外方側に位置するとともに、インナー部材５２の軸方向で第１環状板面部分４６ａより係止部２２側に位置している。なお、内凸部分４７の凸部２３ｐへの嵌合状態が確保されていれば、第２環状板面部分４６ｂは、外フランジ部２３の片面２３ａから離れていてもよい。
【００４９】
本実施の形態においても、上述の一実施の形態と同様な効果が得られる。
【００５０】
しかも、本実施の形態では、インナー部材５２の外フランジ部２３とグロメット本体５４の環状板部４６がテーパ面部分で凹凸係合するだけでなく、凸部２３ｐおよび凹部４６ｖの凹凸部分でもさらに深く凹凸係合することになる。したがって、インナー部材５２とグロメット本体５４の結合が強化され、グロメット本体５４のインナー部材５２に対する保持力をより確実に高めることができる。
【００５１】
なお、上述の各実施の形態では、外フランジ部２３の全周でグロメット本体１４，５４の環状板部４６の内凸部分４７をインナー部材１２の外フランジ部２３の片面２３ａ側に凹凸係合させるものとしたが、前述の通り、外フランジ部２３の片面２３ａがテーパ面となる部分や環状板部４６の内凸部分４７が周方向に隣り合う複数の凹凸係合部を形成してもよい。そして、他の実施の形態のように、外フランジ部２３の片面２３ａがテーパ面となる部分や環状板部４６の内凸部分４７を、径方向に隣り合うように複数列に配置してもよい。
【００５２】
また、外フランジ部２３の片面２３ａがテーパ面となる部分は、外フランジ部２３の半径方向における一部の領域でもよく、片面２３ａがそのテーパ面部分の内外に平坦面を有し、そのテーパ面部分で段付き状となるものであってもよく、反対側の面２３ｂを同様に形成してもよい。いずれの場合も、そのような凹凸部分は、配索作業中または使用状態下でグロメット本体１４、５４をインナー部材１２、５２から離脱させる方向の力が最も大きく作用する部位の近傍に、少なくとも一箇所設けられればよい。
【００５３】
また、上述の各実施の形態では、リブ複数の係止爪２２ａを９０度間隔に４つ設けたものを例示したが、パネルの開口の内径や要求される固定強度に応じて係止爪２２ａの設置数が任意に設定できることはいうまでもなく、例えば３つでもよい。
【００５４】
以上の通り、本発明は、グロメット本体のインナー部材に対する保持力を確実に高めることができ、しかも、これら２部品の組付け時の作業性に優れたグロメットを提供することができるものであり、パネルを貫通するワイヤハーネスの電線群を保護するグロメット全般に有用である。
【符号の説明】
【００５５】
１  車体パネル
１ａ  背面
２  開口
３  開口縁部
１０  グロメット
１２  インナー部材
１４  グロメット本体
２１  筒状部
２２  係止部
２２ａ  係止爪
２２ｂ  一端部
２２ｃ  他端部
２３  外フランジ部
２３ａ  片面（係止部側の片面）
２３ｐ  凸部
４１  貫通孔
４２  円筒部
４３  円形カバー部
４４  外周カバー部
４５  シールリップ部
４６  環状板部
４６ａ  第１環状板面部分
４６ｂ  第２環状板面部分
４６ｃ  内周面部分
４６ｖ  凹部
４７  内凸部分
５２  インナー部材
５４  グロメット本体
【図１】
2015198530.tif 000003
【図２】
2015198530.tif 000004
【図３】
2015198530.tif 000005
【図４】
2015198530.tif 000006
【図５】
2015198530.tif 000007
【図６】
2015198530.tif 000008